(57)【要約】身体排泄物を吸収するのに使用するための衣類（１０）のためのラミネート材料（２５）。このラミネート材料は第一層（２６）、第二層（２８）、及び第一と第二層の中間の第三層（３０）を持つ。第一層（２６）と第二層（２８）は主に７０ｇ／ｍ２から１５０ｇ／ｍ２、好ましくは１００ｇ／ｍ２から１３０ｇ／ｍ２の基本重量を持つポリエステル材料であり、第三層（３０）は好ましくはポリウレタンの微孔性膜である。【選択図】図１
2004532669.tif 000002
【特許請求の範囲】
【請求項１】
身体排泄物を吸収するのに使用するための衣類（１０）のためのラミネート材料（２５）であって、前記ラミネート材料が：
第一層（２６）；
第二層（２８）；及び
前記第一層と第二層の中間の第三層（３０）；
を含むものにおいて、
前記第一層（２６）と前記第二層（２８）が７０ｇ／ｍ２から１５０ｇ／ｍ２、好ましくは１００ｇ／ｍ２から１３０ｇ／ｍ２の基本重量を持つポリエステル材料を主に含み、前記第三層（３０）が微孔性膜を含むことを特徴とするラミネート材料（２５）。
【請求項２】
前記第一層（２６）と前記第二層（２８）が同一材料であることを特徴とする請求項１に記載のラミネート材料（２５）。
【請求項３】
前記第三層（３０）が微孔性ポリウレタン膜であることを特徴とする請求項１または２に記載のラミネート材料（２５）。
【請求項４】
前記第三層（３０）が１５ｇ／ｍ２から４０ｇ／ｍ２、好ましくは２５ｇ／ｍ２から３５ｇ／ｍ２の基本重量を持つことを特徴とする請求項１から３のいずれか一つに記載のラミネート材料（２５）。
【請求項５】
前記第一層（２６）と前記第二層（２８）が少なくとも９０％ポリエステル材料、好ましくは本質的に１００％ポリエステル材料を含むことを特徴とする請求項１から４のいずれか一つに記載のラミネート材料（２５）。
【請求項６】
前記第三層（３０）が前記第一層（２６）と前記第二層（２８）に接着剤で結合されていることを特徴とする請求項１から５のいずれか一つに記載のラミネート材料（２５）。
【請求項７】
１１ｇ／ｍ２から１６ｇ／ｍ２の接着剤、好ましくは１２．５ｇ／ｍ２から１４．５ｇ／ｍ２の接着剤が第一結合表面（３２）を越えて前記第三層（３０）を前記第一層（２６）にかつ第二結合表面（３４）を越えて前記第三層を前記第二層（２８）に結合する両者のそれぞれに使用されることを特徴とする請求項６に記載のラミネート材料（２５）。
【請求項８】
前記第一及び第二結合表面（３２；３４）の１０％から３０％、好ましくは１５％から２５％、最も好ましくは１７％から２１％が前記接着剤により覆われるように前記接着剤が前記第一及び第二結合表面のそれぞれの上に点結合模様で付与されることを特徴とする請求項６または７に記載のラミネート材料（２５）。
【請求項９】
前記点結合模様が平方センチメートル当り１１０から１５０点結合、好ましくは平方センチメートル当り１２５から１３５点結合から構成されることを特徴とする請求項８に記載のラミネート材料（２５）。
【請求項１０】
前記接着剤がポリウレタンホットメルト接着剤であることを特徴とする請求項６から９のいずれか一つに記載のラミネート材料（２５）。
【請求項１１】
材料が少なくとも２５００ｇ／ｍ２／２４ｈ、好ましくは少なくとも３０００ｇ／ｍ２／２４ｈ、より好ましくは少なくとも３５００ｇ／ｍ２／２４ｈ、最も好ましくは少なくとも４０００ｇ／ｍ２／２４ｈの水蒸気透過度値を示すことを特徴とする請求項１から１０のいずれか一つに記載のラミネート材料（２５）。
【請求項１２】
前記第一層（２６）と前記第二層（２８）が前記第三層（３０）の収縮量より大きくない収縮量を持つことを特徴とする請求項１から１１のいずれか一つに記載のラミネート材料（２５）。
【請求項１３】
請求項１から１２のいずれか一つに記載のラミネート材料（２５）を含むことを特徴とする衣類（１０）。
【請求項１４】
前記衣類がおむつカバーであることを特徴とする請求項１３に記載の衣類（１０）。
【請求項１５】
前記衣類が：
衣類を第一横半分体（１４）と第二横半分体（１６）に分割する縦軸（Ｌ）；
前記縦軸に垂直でかつ衣類を第一端部（１８）と第二端部（２０）に分割する横軸（Ｔ）；
衣類を着用者の腰周りに固定するための固定システム；
を含み、固定システムが衣類の前記第一端部（１８）上に設けられた第一固定装置（３８）を持ち、前記第一固定装置が前記第一及び第二横半分体（１４；１６）の少なくとも一つの外方縁部（４０）に設けられておりかつ二つの外向きに面する縁（４２，４４）を含み、それらの縁間に角度（α）を形成し、前記角度（α）が４５°から８５°、好ましくは５０°から８０°、より好ましくは５５°から７５°、最も好ましくは６０°から７０°であることを特徴とする請求項１４に記載の衣類（１０）。
【請求項１６】
前記衣類が：
周縁（１２）；
衣類を第一横半分体（１４）と第二横半分体（１６）に分割する縦軸（Ｌ）；
前記縦軸に垂直でかつ衣類を第一端部（１８）と第二端部（２０）に分割する横軸（Ｔ）；
衣類を着用者の腰周りに固定するための固定システム；
を持ち、固定システムが衣類の前記第一端部（１８）上に設けられた第一固定装置（３８）を持ち、前記第一固定装置が前記第一及び前記第二横半分体の少なくとも一つの外方縁部（４０）に設けられておりかつ外向きに面する縁（５０）を含み、更に前記外向きに面する縁（５０）が前記外向きに面する縁上に二つの点が存在し、それらの点に対する接線が９０°より大きくない、好ましくは６０°より大きくない、最も好ましくは３０°より大きくない角度（γ）を張るように曲がっていることを特徴とする請求項１４に記載の衣類（１０）。
【請求項１７】
前記固定システムがフックとループの固定システムであることを特徴とする請求項１３から１６のいずれか一つに記載の衣類（１０）。
【請求項１８】
前記衣類が６０℃で１００洗濯サイクルを受けさせた後に６％以下しか収縮しないことを特徴とする請求項１３から１７のいずれか一つに記載の衣類（１０）。
【発明の詳細な説明】
【０００１】
技術分野
本発明は請求項１の前文に記載された身体排泄物を吸収するのに使用するための衣類のためのラミネート材料、及びかかるラミネート材料を利用する衣類に関する。
【０００２】
発明の背景
身体排泄物を吸収するのに使用するための衣類は幼い子供並びに失禁者により着用されることができる。これらの衣類は着用者の腰周りに固定される。かかる衣類は一般的に二つの形式：すなわち使い捨て衣類からなる第一形式と洗濯可能で再使用できる衣類からなる第二形式に分割されることができる。第一形式の衣類は一般的に使い捨ておむつと呼ばれ、これらは通常液体透過性上面シートと液体不透過性背面シートとの間に挟まれた吸収性詰綿を含む。使い捨ておむつは汚れが検出された後またはその吸収容量が達成されたら捨てられることを意図している。洗濯可能で再使用できる衣類は一般的に使い捨て吸収性挿入体と一緒に使用されることを意図している。かかる衣類は通常おむつカバーと呼ばれ、使い捨て挿入体はおむつカバーにより着用者の身体の股領域の所定場所に保持される。おむつカバーは再使用され、必要なときは洗濯されるが、使い捨て挿入体は汚れたら捨てられる。
【０００３】
おむつカバーは一般的に失禁成人により着用される。カバーは着用したとき行動自由で快適であり、製造が安く、丈夫であることが望ましい。それらは液体をはねつけることができ、それにより洩れの危険を減らすことができるべきであり、同時にそれらは“通気性”、すなわち蒸気透過性であるべきである。これらの性質は繰り返した洗濯後でさえ維持されねばならない。おむつカバーは洗濯されることを意図しているので、カバーは収縮したりまたはそれらの形状を過度に失ってはならない。
【０００４】
従って、上述の性質を示すおむつカバーとして使用するのに適したラミネート材料に対する要求がある。
【０００５】
発明の概要
この要求は本発明によれば請求項１に請求されたラミネート材料によりかつ請求項１３による衣類により満たされる。
【０００６】
本発明によるラミネート材料及び衣類の有利な実施態様がそれぞれの従属請求項に詳述されている。
【０００７】
図面の簡略説明
この発明が例としてのみ及び添付図面に示された実施例に関して以下により詳細に説明されるであろう。図面において：
図１は本発明によるラミネート材料を利用する身体排泄物を吸収するのに使用するための衣類の第一実施例の概略平面図であり；
図２は極めて大きな尺度で図１の線ＩＩ−ＩＩに沿った概略断面図であり；そして
図３は図１に示された衣類上の第一固定システムのための代替設計の概略平面図である。
【０００８】
好適実施例の詳細な説明
図面において、本発明のラミネート材料を利用するおむつカバーの形の衣類が参照番号１０により概括的に示されている。この衣類は周縁１２により境界付けられ、縦軸Ｌが衣類を第一横半分体１４と第二横半分体１６に分割する。縦軸に垂直な横軸Ｔが更に衣類を第一端部１８と第二端部２０に分割する。衣類１０は使用時に着用者に面する内向きに面する表面２２と、使用時に着用者から離れる方に面する外向きに面する表面２４を持つ。
【０００９】
図２から最も明確に見えるように、内向きに面する表面２２と外向きに面する表面２４は概括的に参照番号２５により示されるラミネート材料の要素と関連付けられる。従って、ラミネート材料２５は第一層２６、第二層２８及び第一層と第二層の中間の第三層３０を含み、第一層２６は内向きに面する表面２２を与え、第二層は外向きに面する表面２４を与える。明確化のため、図２にはラミネート材料の種々の層は略同じ厚さを持つものとして示されている。しかし、図２は非常に概略的であり、実際には第三層３０は第一及び第二層の厚さよりかなり小さな厚さを持つ。
【００１０】
本発明によれば、第一層２６と第二層２８は７０ｇ／ｍ２から１５０ｇ／ｍ２、好ましくは１００ｇ／ｍ２から１３０ｇ／ｍ２、最も好ましくは約１２０ｇ／ｍ２の基本重量を持つポリエステル材料を主に含み、第三層３０は好ましくはポリウレタンの微孔性膜を含む。この点において、表現“ポリエステル材料を主に”はこれらの層の材料の５０％以上がポリエステルであることを意味する。少なくともある割合としてポリアミドが使用されることができることは考えられる。更に、綿のような天然繊維が低量で含まれることができる。にもかかわらず、費用と材料特性（触れると柔らかい、丈夫、形状保持性等）の両方に関して、対面材料としてのポリエスルの適性のため、好適実施例においては第一層２６及び第二層２８は少なくとも９０％ポリエステル材料、好ましくは本質的に１００％ポリエステル材料を含む。表現“本質的に１００％ポリエステル材料”はその材料が少量の異物を含むことができるけれども本質的に１００％ポリエステルからなることを意味する。製造の容易さのため、及び用いられる実際の材料に関係なく、もし第一層２６と第二層２８が寸法と構成材料の両方に関して同一材料のものであるなら有利である。
【００１１】
微孔性膜３０の存在は本発明のラミネート材料に水反発性を与え、同時にラミネート材料が“通気性”であることを提供する。適当な膜は１５ｇ／ｍ２から４０ｇ／ｍ２、好ましくは２５ｇ／ｍ２から３５ｇ／ｍ２の基本重量を持つ。実際に約３０ｇ／ｍ２の基本重量を持つポリウレタン膜が非常に適していることを示した。ラミネート材料の通気性、すなわち水蒸気透過性はＡＳＴＭ法Ｅ３９８により確立されている。最適な着用者快適性のためには、ラミネート材料は少なくとも２５００ｇ／ｍ２／２４ｈ、好ましくは少なくとも３０００ｇ／ｍ２／２４ｈ、より好ましくは少なくとも３５００ｇ／ｍ２／２４ｈ、最も好ましくは少なくとも４０００ｇ／ｍ２／２４ｈの値の水蒸気透過性を示すべきである。
【００１２】
第三層３０の水蒸気透過性に過度の負の影響を及ぼさないために、三層２６，２８，３０のラミネーションが十分な数のポリウレタン膜の微孔が“開口”のまま残るように実現されることが必要である。好ましくは、第三層３０は第一層２６と第二層２８に接着剤で結合される。より詳細には、１１ｇ／ｍ２から１６ｇ／ｍ２の接着剤、好ましくは１２．５ｇ／ｍ２から１４．５ｇ／ｍ２の接着剤が第三層３０を第一結合表面３２を越えて第一層２６に結合しかつ第三層を第二結合表面３４を越えて第二層２８に結合する両方のそれぞれに使用されることができる。接着剤は第一と第二結合表面のそれぞれの上にそれらの表面の１０％から３０％、好ましくは１５％から２５％、最も好ましくは１７％から２１％が接着剤により覆われるように点結合模様で付与されることができる。約１８％から１９％の被覆が非常に適していることを示した。点結合模様は平方センチメートル当り１１０から１５０点結合、好ましくは平方センチメートル当り１２５から１３５点結合から構成されることができ、平方センチメートル当り約１２８点結合が有利である。適当な接着剤は空気中湿分により交差結合し、硬化後に柔軟なフィルムを与えるポリウレタンホットメルト接着剤であることを示した。この接着剤は一般的に１００℃で約５７００ｍＰａ．ｓ、１１０℃で約４１００ｍＰａ．ｓ及び１２０℃で約３１００ｍＰａ．ｓのＢｒｏｏｋｆｉｅｌｄ粘度を示す。
【００１３】
上述のラミネート材料はおむつカバーのような衣類で使用するのに著しく適している。図２に最も明確に示されるように、増大した快適性と耐久性のために、おむつカバー１０の周縁１２はモール３２を備えることができる。モール３２はラミネート材料２５の縁周りに折り曲げられている１５−２０ｍｍ幅の材料のストリップの形であることができる。好ましくは、モールはモールに弾性を与えるための弾性糸を含む綿／ポリエステル材料である。モール３２は一つまたはそれ以上の縫合線３４を用いて通常の態様で層状構造に縫合されることができる。
【００１４】
適合性と快適性を改善するために、おむつカバーは伸縮自在の腰バンド３６を備えることができる。腰バンド３６はおむつカバーの第一端部１８の第一層２６上に横断縁に隣接しかつそれに沿って配置されることができる。腰バンドは有利には幾らか大きな幅の、例えば２２ｍｍのものであるが、モール３２と同じ材料のものである。腰バンドは、モールを層状構造に固定する縫合線３４並びに更に実質的に横断縁に平行に走る一本またはそれ以上の縫合線を利用して、伸張状態で好ましくは縫合によりラミネート材料２５に取り付けられる。
【００１５】
衣類が着用者の腰周りに固定されることができるために、衣類は固定システムを備えている。固定システムはボタンとボタン穴、押圧スタッドとポッパー（スナップ）またはフックとループのシステムのような機械的システムか接着剤のいずれかであることができる。以下により詳細に述べられるように、本発明の好適実施例において固定システムはフックとループの装置を含む。固定システムの実際の形式に関係なく、それは衣類の第一端部１８に設けられた概括的に参照番号３８により示された第一固定装置を含む。特に、第一固定装置３８は第一及び第二横半分体１４，１６の少なくとも一つの外方縁部４０に設けられる。外方縁部４０は衣類の周縁１２から内向きに５ｃｍまで延びる衣類の領域として規定されることができる。第一固定装置はもし第一固定装置の少なくとも一部分がこの領域内に配置されるならこの外方縁部に設けられているものとみなされるべきである。図１に示されたように、第一固定装置３８は好ましくは二つの外向きに面する縁４２，４４を含み、それらの間に角度αを形成する。表現“外向きに面する縁”は衣類の周縁１２の一部に略追従するそれらの縁を意味する。従って、外向きに面する縁の第一の縁４２は横軸Ｔの方に向いており、一方外向きに面する縁の第二の縁４４は横軸Ｔから離れる方を向いている。有利には、外方縁部４０に沿った非固定材料の過剰量を避けるために、第一固定装置の二つの外向きに面する縁４２，４４は衣類の周縁１２の２．０ｃｍ以内に、好ましくは１．５ｃｍ以内に位置すべきである。
【００１６】
本発明の好適実施例において、二つの外向きに面する縁４２，４４間の角度αは４５°から８５°、好ましくは５０°から８０°、より好ましくは５５°から７５°そして最も好ましくは６０°から７０°である。外向きに面する縁４２，４４をこの態様で角度を付けることにより、より緻密な配置が達成される。更に、外向きに面する縁４２，４４を外方縁部４０内の衣類の周縁１２に実質的に平行に走らすことにより、衣類はこの領域内で一点に向けて先細りとなり、それにより使用者が片手で外方縁部全体を掴むことを容易とするであろう。
【００１７】
この発明の更なる好適実施例において、二つの外向きに面する縁の第一の縁４２は横軸Ｔに対して（または少なくとも示されるように横軸Ｔに平行な線に対して）０°から５０°、好ましくは１５°から４０°、更に好ましくは２５°から３５°の角度βを張る。理論に拘束されることなく、この態様で第一の縁４２に角度を付けることにより、第一固定装置の少なくとも一部は脚領域内で衣類の周縁に沿って発生する張力と整合されることができ、それによりこれらの力をより良く吸収することができると考えられる。
【００１８】
図１において、第一固定装置３８は固定材料の二つの別個の断片４６，４８を持つものとして示されている。もちろん対応する効果が上述の態様で角度を付けられた二つの外向きに面する縁を持つ単一の断片を用いて達成されることができることは理解されるべきである。固定材料の二つまたはそれ以上の断片が用いられる場合、断片４６，４８は６．０ｃｍより大きくない、好ましくは３．５ｃｍより大きくない、最も好ましくは２．０ｃｍより大きくない距離Ｘにより分離されるべきである。言い換えれば、隣接断片上の近接点間の最も接近した距離は上に列挙した距離より大きくあるべきでない。
【００１９】
角度αの設置のため、二つの外向きに面する縁４２，４４の仮想の延長部は周縁１２の外部に位置する点Ｐで交差するであろう。好ましくは、点Ｐは周縁１２から１．０ｃｍから１０．０ｃｍ、より好ましくは２．５ｃｍから５．０ｃｍの距離に位置する。
【００２０】
上述の実施例と関連する利点は、第一固定装置が二つの角度を付けた縁に対向するものとして曲がった外向きに面する一つの縁を与える実施例により享有されることができる。従って、図３は本発明の代替実施例を示し、そこでは簡潔さのため、衣類は第一横半分体１４では第一固定装置の第一形状を持ち、第二横半分体１６では第一固定装置の第二形状を持って示されている。両方の場合において、第一固定装置は外向きに面する縁５０を持つ固定材料の単一断片４９として示されている。第一形状は円の弓形であり、一方第二形状は実質的に一定の幅のものである。この発明によれば、実際の形状に関係なく、外向きに面する縁５０は外向きに面する縁上に二つの点が存在し、それらの点に対する接線が９０°より大きくない、好ましくは６０°より大きくない、そして最も好ましくは３０°より大きくない角度γを張るように曲がっている。
【００２１】
有利には、例示の実施例の第一固定装置はフック固定材料を含む。フック材料の断片４６，４８，４９は少なくとも３２０ｇ／ｍ２の重量を持つ１００％ポリエステルのベーステープとモノフィラメントフックを含むことができる。第一固定装置３８は好ましくはフック材料を含むので、固定システムはまた第一固定装置に対し相補的な、概括的に参照番号５２により示された第二固定装置を含まねばならない。衣類が着用者の腰周りに衣類の第一端部１８を直接第二端部２０に固定することにより固定される場合、第二固定装置５２は衣類の第二端部２０上に配置される。従って、第二固定装置はループ材料の少なくとも一つのパネル５４を含む。かかる材料は約２１０ｇ／ｍ２の基本重量を持つ１００％ポリアミドであることができる。好ましくは、かつ図面に示されるように、パネル５４は衣類１０の第二端部２０の実質的に全幅に渡って延びる。これに代えて、第二固定装置５２は適当には衣類の第二端部２０の上に分配されたループ材料の複数のパネルからなることができ、それにより大きさの異なる着用者に衣類を適合させることができる。
【００２２】
固定を容易とするために、衣類の第二端部２０は着用者の腹部の一部を覆うように適合されることができる。言い換えれば、第一固定装置３８は使用時に着用者のでん部を覆うであろう端部１８上の衣類の内向きに面する表面２２上に配置され、第二固定装置５２のループ材料のパネル５４は使用時に着用者の腹部の一部を覆う端部２０上の衣類の外向きに面する表面２４上に配置される。従って、衣類を固定するために、衣類は意図した着用者の脚間に引っ張られ、第二端部２０が着用者の腹部に対して保持され、第一固定装置３８が配置されている第一端部１８の領域が着用者の腰周りに引っ張られ、第一固定装置３８が第二固定装置と係合させられる。当然、固定作業は立っているまたはあお向けに横たわっている着用者により実施されることができる。
【００２３】
本発明のラミネート材料を含むおむつカバーが６０℃で１００洗濯サイクルを受けさせた後でさえ使用者に高度の快適さと十分な形状保持（６％収縮より大きくない）を提供することを示した。形状保持に関して、もし第一層２６と第二層２８が第三層３０の収縮量より大きくない収縮量を持つなら有利である。
【００２４】
この発明が純粋に例として上述され図面に示されたことは理解されるべきである。従って、当業者は本発明が添付請求項の範囲内で変更されることができることを認識するであろう。例えば、フックとループの材料の断片の相対位置は入れ替えられることができる。
【図面の簡単な説明】
【００２５】
【図１】本発明によるラミネート材料を利用する身体排泄物を吸収するのに使用するための衣類の第一実施例の概略平面図である。
【図２】極めて大きな尺度で図１の線ＩＩ−ＩＩに沿った概略断面図である。
【図３】図１に示された衣類上の第一固定システムのための代替設計の概略平面図である。
【図１】
2004532669.tif 000003
【図２】
2004532669.tif 000004
【図３】
2004532669.tif 000005
【国際公開パンフレット】
2004532669.tif 000006
2004532669.tif 000007
2004532669.tif 000008
2004532669.tif 000009
2004532669.tif 000010
2004532669.tif 000011
2004532669.tif 000012
2004532669.tif 000013
2004532669.tif 000014
2004532669.tif 000015
2004532669.tif 000016
2004532669.tif 000017
2004532669.tif 000018
2004532669.tif 000019
2004532669.tif 000020
【手続補正書】
【提出日】平成15年6月16日(2003.6.16)
【手続補正１】
【補正対象書類名】特許請求の範囲
【補正対象項目名】全文
【補正方法】変更
【補正の内容】
【特許請求の範囲】
【請求項１】
身体排泄物を吸収するのに使用するための衣類（１０）であって、前記衣類がラミネート材料を含み、それが：
第一層（２６）；
第二層（２８）；及び
前記第一層と第二層の中間の第三層（３０）；
を含むものにおいて、
前記第一層（２６）と前記第二層（２８）が７０ｇ／ｍ２から１５０ｇ／ｍ２、好ましくは１００ｇ／ｍ２から１３０ｇ／ｍ２の基本重量を持つポリエステル材料を主に含み、前記第三層（３０）が微孔性膜を含むことを特徴とする衣類（１０）。
【請求項２】
前記第一層（２６）と前記第二層（２８）が同一材料であることを特徴とする請求項１に記載の衣類（１０）。
【請求項３】
前記第三層（３０）が微孔性ポリウレタン膜であることを特徴とする請求項１または２に記載の衣類（１０）。
【請求項４】
前記第三層（３０）が１５ｇ／ｍ２から４０ｇ／ｍ２、好ましくは２５ｇ／ｍ２から３５ｇ／ｍ２の基本重量を持つことを特徴とする請求項１から３のいずれか一つに記載の衣類（１０）。
【請求項５】
前記第一層（２６）と前記第二層（２８）が少なくとも９０％ポリエステル材料、好ましくは本質的に１００％ポリエステル材料を含むことを特徴とする請求項１から４のいずれか一つに記載の衣類（１０）。
【請求項６】
前記第三層（３０）が前記第一層（２６）と前記第二層（２８）に接着剤で結合されていることを特徴とする請求項１から５のいずれか一つに記載の衣類（１０）。
【請求項７】
１１ｇ／ｍ２から１６ｇ／ｍ２の接着剤、好ましくは１２．５ｇ／ｍ２から１４．５ｇ／ｍ２の接着剤が第一結合表面（３２）を越えて前記第三層（３０）を前記第一層（２６）にかつ第二結合表面（３４）を越えて前記第三層を前記第二層（２８）に結合する両者のそれぞれに使用されることを特徴とする請求項６に記載の衣類（１０）。
【請求項８】
前記第一及び第二結合表面（３２；３４）の１０％から３０％、好ましくは１５％から２５％、最も好ましくは１７％から２１％が前記接着剤により覆われるように前記接着剤が前記第一及び第二結合表面のそれぞれの上に点結合模様で付与されることを特徴とする請求項６または７に記載の衣類（１０）。
【請求項９】
前記点結合模様が平方センチメートル当り１１０から１５０点結合、好ましくは平方センチメートル当り１２５から１３５点結合から構成されることを特徴とする請求項８に記載の衣類（１０）。
【請求項１０】
前記接着剤がポリウレタンホットメルト接着剤であることを特徴とする請求項６から９のいずれか一つに記載の衣類（１０）。
【請求項１１】
材料が少なくとも２５００ｇ／ｍ２／２４ｈ、好ましくは少なくとも３０００ｇ／ｍ２／２４ｈ、より好ましくは少なくとも３５００ｇ／ｍ２／２４ｈ、最も好ましくは少なくとも４０００ｇ／ｍ２／２４ｈの水蒸気透過度値を示すことを特徴とする請求項１から１０のいずれか一つに記載の衣類（１０）。
【請求項１２】
前記第一層（２６）と前記第二層（２８）が前記第三層（３０）の収縮量より大きくない収縮量を持つことを特徴とする請求項１から１１のいずれか一つに記載の衣類（１０）。
【請求項１３】
前記衣類がおむつカバーであることを特徴とする請求項１から１２のいずれか一つに記載の衣類（１０）。
【請求項１４】
前記衣類が：
衣類を第一横半分体（１４）と第二横半分体（１６）に分割する縦軸（Ｌ）；
前記縦軸に垂直でかつ衣類を第一端部（１８）と第二端部（２０）に分割する横軸（Ｔ）；
衣類を着用者の腰周りに固定するための固定システム；
を含み、固定システムが衣類の前記第一端部（１８）上に設けられた第一固定装置（３８）を持ち、前記第一固定装置が前記第一及び第二横半分体（１４；１６）の少なくとも一つの外方縁部（４０）に設けられておりかつ二つの外向きに面する縁（４２，４４）を含み、それらの縁間に角度（α）を形成し、前記角度（α）が４５°から８５°、好ましくは５０°から８０°、より好ましくは５５°から７５°、最も好ましくは６０°から７０°であることを特徴とする請求項１３に記載の衣類（１０）。
【請求項１５】
前記衣類が：
周縁（１２）；
衣類を第一横半分体（１４）と第二横半分体（１６）に分割する縦軸（Ｌ）；
前記縦軸に垂直でかつ衣類を第一端部（１８）と第二端部（２０）に分割する横軸（Ｔ）；
衣類を着用者の腰周りに固定するための固定システム；
を持ち、固定システムが衣類の前記第一端部（１８）上に設けられた第一固定装置（３８）を持ち、前記第一固定装置が前記第一及び前記第二横半分体の少なくとも一つの外方縁部（４０）に設けられておりかつ外向きに面する縁（５０）を含み、更に前記外向きに面する縁（５０）が前記外向きに面する縁上に二つの点が存在し、それらの点に対する接線が９０°より大きくない、好ましくは６０°より大きくない、最も好ましくは３０°より大きくない角度（γ）を張るように曲がっていることを特徴とする請求項１３に記載の衣類（１０）。
【請求項１６】
前記固定システムがフックとループの固定システムであることを特徴とする請求項１３から１５のいずれか一つに記載の衣類（１０）。
【請求項１７】
前記衣類が６０℃で１００洗濯サイクルを受けさせた後に６％以下しか収縮しないことを特徴とする請求項１３から１６のいずれか一つに記載の衣類（１０）。
【国際調査報告】
2004532669.tif 000021
2004532669.tif 000022
2004532669.tif 000023
2004532669.tif 000024
2004532669.tif 000025